(57)【要約】      （修正有）【課題】生産効率に優れ、所望の導光性を有する光ダクト、および該光ダクトを複数連結してなる光ダクト装置を提案する。【解決手段】亜鉛メッキ鋼板からなる単数または複数のダクト基材１１を、その雌型ハゼ部１５と雄型ハゼ部１２との接合により、該亜鉛メッキ鋼板の片面に銀メッキ処理した反射鏡面３を内面とする断面円形または断面矩形の筒状体に形成してなる光ダクト１である。反射鏡面３は、高い反射率を有することから、光を取り入れる効果に優れている。さらに、このダクト基材１１は、優れた加工性を有するため、光ダクト１の生産効率が高まる。一方、この真直状の光ダクト１と扇形の光ダクトとを適宜連結してなる光ダクト装置にあっては、建物に応じて適当な導光路を形成できると共に、光量のロスを低減することができ得る。【選択図】図２
0003140330.tif 000002
【実用新案登録請求の範囲】
【請求項１】
屋外から採光した自然光を屋内へ取り入れる導光路を構成する光ダクトにおいて、
片面を銀メッキ処理して反射鏡面とした亜鉛メッキ鋼板から構成された、互いに対向する両側縁にハゼ折り加工により形成された雌型ハゼ部または該雌型ハゼ部に嵌合する雄型ハゼ部が設けられた単数または複数のダクト基材を、雌型ハゼ部と雄型ハゼ部とを接合することにより、内面を反射鏡面としてなる断面円形または断面矩形の筒状体に形成してなるものであることを特徴とする光ダクト。
【請求項２】
ダクト基材の雄型ハゼ部が、その長手方向に間隔をおいて設けられた、反射鏡面の背面側に突出する複数のボタンパンチを備えてなると共に、
ダクト基材の雌型ハゼ部が、その長手方向に亘って反射鏡面の背面側に設けられた、雄型ハゼ部を嵌入する断面略Ｕ字形の嵌入溝と、該嵌入溝内に突成された、雄型ハゼ部のボタンパンチを係合する係合突部とから構成されてなるものであることを特徴とする請求項１に記載の光ダクト。
【請求項３】
ダクト基材により断面矩形の筒状体に形成されてなるものであって、
該筒状体の開口端縁に形成された、外方へ起立する鍔部と該鍔部の外端から折り返された折り返し部とからなるフランジ部と、
隣り合うフランジ部の側部に夫々固着されるＬ字形のコーナー金具と
を備えてなり、
互いの開口端同士を突き合わせて、夫々に対向するコーナー金具同士を所定の結合部材により結合して複数連結されることにより、屋外から屋内に至る導光路を構成するものであることを特徴とする請求項１又は請求項２に記載の光ダクト。
【請求項４】
請求項１乃至請求項３のいずれか１項に記載された断面矩形の筒状体をなす光ダクトを複数連結することにより形成される、内部を屋外から屋内に至る導光路とする光ダクト装置にあって、
両端開口間が一直線状に成形された、導光路の直線部位を構成する真直状の光ダクトと、
互いに対向する二面を同心状の円弧面としてなる湾曲状に成形された、導光路の湾曲部位を構成する扇形の光ダクトと
を連結することにより所望の導光路を形成してなるものであることを特徴とする光ダクト装置。
【請求項５】
扇形の光ダクトが、その両端開口の仮想開口面同士を所定の鋭角としてなるものであって、
当該扇形の光ダクトを複数連結することにより、導光路の湾曲部位を形成してなるものであることを特徴とする請求項４に記載の光ダクト装置。
【考案の詳細な説明】
【技術分野】
【０００１】
本考案は、屋外の自然光を屋内に取り込む導光路を構成する光ダクト、および該光ダクトを複数連結してなる光ダクト装置に関する。
【背景技術】
【０００２】
地球温暖化の対策や省エネルギー化などの一手段として、屋外の自然光を屋内に取り込む光ダクト装置が種々提案されている（例えば、特許文献１，２）。この光ダクト装置としては、建築現場への搬送し易さや取付作業の容易性を考慮して、複数の光ダクトを連結するようにしたものが良く知られている。そして、光ダクトとしては、アルミニウム合金基材から構成されてなり、その内面を、真空蒸着法によってアルミニウム製の鏡面層を形成してなる反射面とする構成としたものが一般的に知られている。
【特許文献１】特開２００５−２６８１５６号公報
【特許文献２】特開２０００−１４９６２８号公報
【考案の開示】
【考案が解決しようとする課題】
【０００３】
ところで、上記した従来の、アルミニウム合金基材から形成されてなる光ダクトにあっては、アルミニウム合金が比較的加工し難い材料（加工性の低い材料）であることから、製造工程や製品形状に制約が生じてしまい、生産効率の向上に限界がある。そのため、生産コストが増えてしまうことともなっていた。
【０００４】
また、上述した従来の特許文献１，２には、光ダクト装置の全体的な構成が開示されているものの、該光ダクト装置を形成する光ダクト単体の構成については開示されておらず、光ダクトに適した構成の提案が求められている。
【０００５】
また、光ダクト装置は、建物の構造上の制約から、一直線状に形成することができない場合もあり、この場合には折れ曲がった部位が設けられる。このように折れ曲がった部位では、その内部を光が通過する際に、この光量をロスし易くなるため、このロスを低減して、屋内へ取り込む光量を可及的に大きくすることが求められている。上記した特許文献１の構成では、光ダクトが円弧状の外面を備える構成として、前記光量のロスを低減している。しかし、一層効率的に光を屋内に取り込むことができるように、前記した折れ曲がり部位で、さらなる光量のロスを低減することが求められている。
【０００６】
本考案は、生産効率に優れ、所望の導光性を有する光ダクト、および該光ダクトを複数連結してなる光ダクト装置を提案するものである。
【課題を解決するための手段】
【０００７】
本考案は、屋外から採光した自然光を屋内へ取り入れる導光路を構成する光ダクトにおいて、片面を銀メッキ処理して反射鏡面とした亜鉛メッキ鋼板から構成された、互いに対向する両側縁にハゼ折り加工により形成された雌型ハゼ部または該雌型ハゼ部に嵌合する雄型ハゼ部が設けられた単数または複数のダクト基材を、雌型ハゼ部と雄型ハゼ部とを接合することにより、内面を反射鏡面としてなる断面円形または断面矩形の筒状体に形成してなるものであることを特徴とする光ダクトである。
【０００８】
かかる構成にあっては、銀メッキ処理により反射鏡面を形成した亜鉛メッキ鋼板からなるダクト基材により形成してなるものであるから、上述した従来構成のようにアルミニウム合金製の基材にアルミニウムを真空蒸着した構成に比して、優れた加工性を有するため、生産効率を向上することができる。さらに、優れた加工性を有していることから、比較的細かな加工も容易に行うことができるため、ダクト基材に雄型ハゼ部と雌型ハゼ部とを正確かつ安定して形成することができ得る。そして、この雄型ハゼ部と雌型ハゼ部とを接合することにより、所望の断面円形又は断面矩形の筒状体からなる本考案の光ダクトが得られる。
【０００９】
また、光ダクトの内面の、銀メッキ処理してなる反射鏡面は、上記従来のアルミニウムを真空蒸着してなる反射面に比して、高い反射率を有していることから、屋外の自然光を屋内まで取り込む効果に優れている。
【００１０】
上述した光ダクトにあって、ダクト基材の雄型ハゼ部が、その長手方向に間隔をおいて設けられた、反射鏡面の背面側に突出する複数のボタンパンチを備えてなると共に、ダクト基材の雌型ハゼ部が、その長手方向に亘って反射鏡面の背面側に設けられた、雄型ハゼ部を嵌入する断面略Ｕ字形の嵌入溝と、該嵌入溝内に突成された、雄型ハゼ部のボタンパンチを係合する係合突部とから構成されてなるものが提案される。ここで、雌型ハゼ部は、光ダクトの外面側に設けられることとなっている。
【００１１】
かかる構成にあっては、雌型ハゼ部が光ダクトの外面側に設けられていることから、該雌型ハゼ部と雄型ハゼ部との接合部分も、光ダクトの外面側に存在することとなるため、光ダクトの内面（反射鏡面）が比較的凹凸のない滑らかな面となり、一層高い反射率を発揮することができ得る。また、雌型ハゼ部と雄型ハゼ部とは、複数のボタンパンチを嵌入溝の係合突部により係合して接合するものであるから、高い接合力を発揮し、本構成の光ダクトを所望の断面円形または断面矩形に保持する効果が高い。
【００１２】
上述した光ダクトにあって、ダクト基材により断面矩形の筒状体に形成されてなるものであって、該筒状体の開口端縁に形成された、外方へ起立する鍔部と該鍔部の外端から折り返された折り返し部とからなるフランジ部と、隣り合うフランジ部の側部に夫々固着されるＬ字形のコーナー金具とを備えてなり、互いの開口端同士を突き合わせて、夫々に対向するコーナー金具同士を所定の結合部材により結合して複数連結されることにより、屋外から屋内に至る導光路を構成するものである構成が提案される。
【００１３】
かかる構成の光ダクトは、所定数個を比較的容易に連結することができ、且つ連結部位がフランジ部により高い剛性を有するため、当該光ダクトを複数連結してなる光ダクト装置が優れた強度と耐久性とを発揮するものとして形成され得る。また、光ダクト同士を各コーナー金具と結合部材とにより結合するため、その結合時に作用する負荷によって光ダクトの反射鏡面に歪などが発生してしまうことを抑制できる。そのため、結合作業の際に比較的強い力により結合することができ、当該光ダクトが複数個結合した結合状態を保持する効果を向上でき得る。さらにまた、複数の光ダクトを結合する作業は、該光ダクトを設置する現場で実施することができるため、設置現場まで移送作業や組み立て作業を効率的に行うことができ得る。
【００１４】
尚、コーナー金具にあっては、その屈曲部分に表裏に貫通する孔を形成してなるものとし、互いに対向するコーナー金具同士の各孔に、ボルトを挿通してナットにより締め付けることにより結合するようにしたものとすることができる。この場合には、ボルトおよびナットが結合部材である。
【００１５】
一方、本考案は、上述した構成の断面矩形の筒状体をなす光ダクトを複数連結することにより形成される、内部を屋外から屋内に至る導光路とする光ダクト装置にあって、両端開口間が一直線状に成形された、導光路の直線部位を構成する真直状の光ダクトと、互いに対向する二面を同心状の円弧面としてなる湾曲状に成形された、導光路の湾曲部位を構成する扇形の光ダクトとを連結することにより所望の導光路を形成してなるものであることを特徴とする光ダクト装置である。
【００１６】
かかる構成にあっては、真直状の光ダクトと扇形の光ダクトとを適宜連結することにより、建物の構造に応じた適当な道筋の導光路をなすように形成されるものである。ここで、扇形の光ダクトは、対向する二面を同心状の円弧面としてなるものであるから、外側および内側の各円弧面で光を反射することができるため、導光路の湾曲部位における光の反射効率を向上することができ、該湾曲部位で光が反射する際に生じる光量のロスを低減する効果に優れている。特に、内側の円弧面を有していることから、上述した従来の特許文献１に比して、光量のロスを低減する効果が一層向上している。
【００１７】
尚、上記した特許文献１は、円弧面の半径が直線状のダクトの一辺の長さと等しくなることから、該円弧面の曲率がダクトの一辺の長さに応じて定まっている。これに対して、本構成では、円弧面の曲率は、ダクトの大きさと無関係に設定することができるため、導光路の湾曲部位を比較的大きな曲率で形成することができ得る。そして、円弧面の曲率を大きくすることにより、光の反射効率を向上することができるため、光量のロスを一層低減することができ得る。
【００１８】
上述した光ダクト装置にあって、扇形の光ダクトが、その両端開口の仮想開口面同士を所定の鋭角としてなるものであって、当該扇形の光ダクトを複数連結することにより、導光路の湾曲部位を形成してなるものである構成が提案される。
【００１９】
かかる構成にあっては、扇形の光ダクトを単数または複数連結して用いることにより、導光路の湾曲部位の折れ曲がり角度を適宜設定することができるため、建物の構造に適した道筋の導光路を比較的容易に形成することができるものである。
【考案の効果】
【００２０】
本考案は、上述したように、亜鉛メッキ鋼板からなる単数または複数のダクト基材を、その雌型ハゼ部と雄型ハゼ部との接合により、該亜鉛メッキ鋼板の片面に銀メッキ処理した反射鏡面を内面とする断面円形または断面矩形の筒状体を形成してなるものであるから、当該反射鏡面が、上記従来のアルミニウムを真空蒸着してなる反射面に比して、高い反射率を有し、屋外の自然光を屋内まで取り込む効果が向上する。また、反射鏡面を形成した亜鉛メッキ鋼板が、優れた加工性を有していることから、当該光ダクトを製造する生産効率を向上できると共に、雄型ハゼ部と雌型ハゼ部とを正確かつ安定して形成でき、所望の形態の筒状体に成形できる。
【００２１】
上述した光ダクトにあって、雄型ハゼ部が複数のボタンパンチを備えてなると共に、雌型ハゼ部が、光ダクトの外面側に設けられた雄型ハゼ部を嵌入する嵌入溝と、ボタンパンチを係合する係合突部とから構成されてなる構成とした場合には、雄型ハゼ部と雌型ハゼ部との接合部位が光ダクトの外面側に存在するため、比較的凹凸のない反射鏡面となり、一層高い反射率を発揮する。また、雄型ハゼ部を雌型ハゼ部に嵌合することにより、高い接合力を発揮し、所望の断面円形または断面矩形で保持する効果に優れる。
【００２２】
上述した光ダクトにあって、断面矩形の筒状体の開口端縁に形成されたフランジ部と、隣り合うフランジ部の側部に夫々固着されるＬ字形のコーナー金具とを備えてなり、複数連結される際には、互いの開口端同士を突き合わせて夫々対向するコーナー金具同士を所定の結合部材により結合するようにしたものとした構成にあっては、所定数を比較的容易に連結できると共に、この連結部位が高い剛性を有することから、当該光ダクトを複数連結してなる光ダクト装置が優れた強度と耐久性とを発揮し得る。また、連結の際に発生する負荷により反射鏡面に歪が生じ難く、所望の光反射効率を発揮でき得る。
【００２３】
一方、本考案は、上述した構成の断面矩形の筒状体をなす光ダクトを複数連結してなる光ダクト装置であって、導光路の直線部位を構成する真直状の光ダクトと、互いに対向する二面を同心状の円弧面としてなる湾曲状に成形された、導光路の湾曲部位を構成する扇形の光ダクトとが連結されてなるものであるから、建物の構造に応じた適当な道筋の導光路をなすように形成され得る。また、扇形の光ダクトは、内外の円弧面により光を反射することができるため、導光路の湾曲部位における光の反射効率を向上することができ、光量のロスを低減する効果に優れている。
【００２４】
上述した光ダクト装置にあって、扇形の光ダクトが、その両端開口の仮想開口面同士を所定の鋭角としてなるものであって、当該光ダクトを複数連結することにより、導光路の湾曲部位を形成してなる構成とした場合には、扇形の光ダクトの連結数に従って、導光路の湾曲部位の折れ曲がり角度を適宜設定できるから、建物の構造に適した道筋の導光路を比較的容易に形成でき得る。
【考案を実施するための最良の形態】
【００２５】
本考案にかかる実施例を添付図面を用いて詳述する。
図１は、本実施例の真直状の光ダクト１を示す斜視図であり、図３は、本実施例の扇形の光ダクト２１を示す斜視図である。尚、真直状の光ダクト１と扇形の光ダクト２１とは、それぞれの両開口端が同じ寸法形状の矩形として形成されている。
【００２６】
真直状の光ダクト１は、その両開口縁間の胴部が一直線状である断面矩形状の筒状体からなり、その内面を反射鏡面３としてなる。そして、光ダクト１の両端開口縁には、該光ダクト１を構成する周囲の各側板部２の両端縁を外方に屈曲してなるフランジ部５が夫々形成されている。このフランジ部５は、外方へ起立した鍔部５ａと該鍔部５ａの外端から折り返された折り返し部５ｂとから構成されている。そして、各フランジ部５の間となるコーナー部分は、フランジ部５が存在しない欠縁部となっている。また、各側板部２のフランジ部５近傍には、外方へ膨出した突条（図示省略）が、該フランジ部５の折り返し部５ｂに沿って対向するように設けられている。
【００２７】
この光ダクト１の隣接するフランジ部５，５の各側部には、Ｌ形のコーナー金具８が固着されており、該コーナー金具８によって、上記した欠縁部を埋めていると共に、両フランジ部５，５を結合している。このコーナー金具８は、四箇所のコーナーに配設される。ここで、コーナー金具８は、上記した突条（図示省略）を乗り越えるようにして押し込まれて、フランジ部５，５の鍔部５ａ，５ａに当接し、さらに各フランジ部５，５の折り返し部５ｂ，５ｂの側端部を内方へカシメることによって固着されている。また、本実施例にあって、コーナー金具８は、そのＬ形に屈曲する屈曲部位に板厚方向に貫通する貫通孔９が設けられている。尚、コーナー金具８にあっては、後述するように光ダクト１，１を連結する際に、互いに対向するコーナー金具８，８の貫通孔９，９に、所定のボルトを挿通してナットにより締め付けることにより、両コーナー金具８，８を締結して、光ダクト１，１を連結するためのものである。
【００２８】
このような真直状の光ダクト１は、図２のように、亜鉛メッキ鋼板の片面を銀メッキ処理して反射鏡面３とした矩形板状のダクト基材１１を二枚接合することにより形成されている。すなわち、二枚のダクト基材１１，１１が、反射鏡面３，３側へ略直角に折り曲げられてなり、この折り曲げられた部位と平行な互いに対向する両側縁に、その長手方向に雄型ハゼ部１２と雌型ハゼ部１５とが所定のハゼ折り機によりハゼ折り加工して形成されている。ここで、ダクト基材１１，１１の一側縁に設けられた雄型ハゼ部１２は、図２（Ａ）のように、該一辺縁を、反射鏡面３側へ屈曲してなり、長手方向に所定間隔をおいて外方（反射鏡面３の背面側）へ膨出するボタンパンチ１３が複数配設されてなる構成としている。一方、ダクト基材１１，１１の他側縁に設けられた雌型ハゼ部１５は、ダクト基材１１の他辺端縁を、反射鏡面３の背面側へ折り返して、さらに折り返して断面略Ｕ字形の嵌入溝１６を形成し、該嵌入溝１６の外端部を内方へ折り返して係止部１７を形成してなるものである。
【００２９】
このような二枚のダクト基材１１，１１を、夫々の雄型ハゼ部１２，１２を、他方の雌型ハゼ部１５，１５へ嵌入することにより、それぞれ接合して、図２（Ｂ）のように、内面を反射鏡面３とする断面矩形の筒状体からなる光ダクト１を形成する。ここで、雄型ハゼ部１２，１２を、雌型ハゼ部１５，１５の嵌入溝１６，１６に嵌入し、各ボタンパンチ１３が係止部１７に係合することにより、該雄型ハゼ部１２，１２と雌型ハゼ部１５，１５とを夫々接合している。雄型ハゼ部１２，１２と雌型ハゼ部１５，１５との接合部位が、光ダクト１の外面側に存在することとなるため、当該光ダクト１の内面の反射鏡面３が凹凸のない比較的滑らかな平坦面として形成される。そのため、反射鏡面３による光の反射率が適正に発揮でき得る。
【００３０】
尚、本実施例にあっては、二枚のダクト基材１１，１１により光ダクト１を形成してなるものであるから、各ダクト基材１１，１１の折り曲げ部位の両端に切り込みを入れ、ダクト基材１１毎に夫々形成される側板部２，２の両端縁を外方へ屈曲して、上記したフランジ部５，５を形成している。
【００３１】
一方、扇形の光ダクト２１にあっては、図３のように、互いに対向する二面を同心状の円弧面とする円弧面部２２ａ，２２ｂと、扇形の側面部２２ｃ，２２ｃとから構成されている。本実施例にあっては、扇形の光ダクト２１を、その両端開口の仮想開口面（図示省略）の成す角度が比較的小さな所定鋭角となるように形成されている。この扇形の光ダクト２１にも、その両端開口縁に、上記した真直状の光ダクト１と同様に、円弧面部２２ａ，２２ｂおよび側面部２２ｃ，２２ｃの各両端縁を外方へ屈曲してなるフランジ部５が夫々に形成されており、隣り合うフランジ部５，５の側部にＬ形のコーナー金具８が固着されている。
【００３２】
このような扇形の光ダクト２１は、図４のように、亜鉛メッキ鋼板の片面を銀メッキ処理して反射鏡面３とした矩形板状のダクト基材３１，３２と扇形のダクト基材３３，３３とから構成されている。ここで、一方の矩形板状のダクト基材３１は、扇形のダクト基材３３の外側円弧長と等しい長さをなし、他方のダクト基材３２は、扇形のダクト基材３３の内側円弧長と等しい長さとなっている。
【００３３】
ここで、扇形のダクト基材３３，３３の内外の円弧端縁には、図４（Ａ）のように、雌型ハゼ部３７が夫々に形成されている。雌型ハゼ部３７は、上記した真直状の光ダクト１を構成するダクト基材１１と同様、反射鏡面３の背面側に設けられており、嵌入溝３８と係止部３９とから構成されている。また、矩形板状のダクト基材３１，３２の、扇形のダクト基材３３の内外円弧長と夫々等しい長さをなす両側端縁には、雄型ハゼ部３５が夫々に形成されている。雄型ハゼ部３５も、前記ダクト基材１１と同様、反射鏡面３側へ屈曲して、ボタンパンチ３６が複数形成されてなる。このような夫々の雄型ハゼ部３５と雌型ハゼ部３７とを接合することにより、図４（Ｂ）のように、扇形のダクト基材３３，３３と矩形板状のダクト基材３１，３２とを夫々に接合して、扇形の光ダクト２１を形成している。
【００３４】
このような光ダクト１，２１を構成するダクト基材１１，３１，３２，３３は、上記のように亜鉛メッキ鋼板の片面を銀メッキ処理して反射鏡面３を形成したものである。そして、亜鉛メッキ鋼板がアルミニウム合金板に比して優れた加工性を有していることから、光ダクト１，２１を成形する際に、ダクト基材１１，３１，３２，３３を安定して精度良く加工することができるため、該ダクト基材１１の反射鏡面３に凹凸が生じたり傷が付いたりすることを抑制でき、該反射鏡面３の反射率が低下することを防ぎ得る。
【００３５】
上述した真直状の光ダクト１と扇形の光ダクト２１とを夫々に連結することにより、図５のように、屋外から屋内へ至る導光路４２を構成する光ダクト装置４１を形成する。ここで、各光ダクト１，２１は、互いの開口端を突き合わせるようにして互いに対向する四辺のフランジ部５を夫々に当接し、それぞれのコーナー部分で対向するコーナー金具８，８同士の貫通孔９，９に所定のボルト（図示省略）を挿通して、該ボルトにナット（図示省略）を螺合して締め付けることにより連結する。さらに、互いに対向して当接したフランジ部５，５を、クリップ（図示省略）により挟んで密着している。
【００３６】
この光ダクト装置４１は、設置する建物の構造上の制約に応じて、真直状の光ダクト１と扇形の光ダクト２１とを適宜組み合わせることによって、導光路４２を所望の道筋とするように形成してなる。真直状の光ダクト１を複数連結することにより、導光路４２の直線部位の長さを適宜設定することができ、扇形の光ダクト２１を複数連結することにより、導光路４２の湾曲部位の角度を適宜設定することができるため、これらを適宜組み合わせれば、様々な道筋に調整した導光路４２を形成することができ得る。
【００３７】
尚、この光ダクト装置４１は、例えば、所定の部屋の天井裏に水平方向に沿って配設されており、該天井裏に設置した光ダクト１’の底面に照射開口部４４を形成している。そして、この照射開口部４４に、光透過性の樹脂からなる透明な板（図示省略）を取り付け、部屋の天井の、該照射開口部４４に対向する位置に、光透過性の樹脂からなる半透明な板を取り付けた照明部４８を設ける。これにより、屋外から取り入れた自然光を、照明部４８から照射している。また、光ダクト装置４１の屋外に配設される部位は、光ダクト１，２１の外周を被覆するように鋼板が設けられており、強度や耐久性を高めている。また、屋外の先端である採光開口部には、所定の編み入りガラス（図示省略）が取り付けられており、自然光を採光し易くしていると共に、雨水やゴミなどがダクト内に入らないようにしている。
【００３８】
このように形成された光ダクト装置４１は、光ダクト１，２１がその内面を銀メッキ処理してなる反射鏡面３としているものであるから、その内部により形成された導光路４２が屋外の自然光を高い反射率で反射して屋内へ取り入れることができる。特に、導光路４２の湾曲部位を構成する扇形の光ダクト２１では、その内外の円弧面部２２ａ，２２ｂの反射鏡面３，３で光を反射することから、この反射における光量のロスを低減することができる。さらに、扇形の光ダクト２１は、その内外の円弧が比較的大きな曲率とできることから、前記した光量のロスを低減する効果に一層優れている。以上のことから、本実施例の光ダクト装置４１は、その導光路４２によって、屋外の自然光を屋内に取り入れる効率が高く、屋内を充分に明るくすることができる。
【００３９】
また、この光ダクト装置４１は、光ダクト１，２１を建物の建築現場まで移送して、現場で連結して設置できるものであり、連結作業もボルトおよびナットを締結してクリップを取り付けることにより実施できるため、連結作業が容易であると共に、比較的短い作業時間で行い得る。
【００４０】
上述した実施例にあっては、真直状の光ダクト１を、二枚のダクト基材１１，１１を直角に屈曲加工して、それぞれ二辺を接合するようにした構成したものであるが、その他の構成として、扇形の光ダクト２１と同様に、四枚のダクト基材により成形するものとすることもできる。また、一枚のダクト基材を矩形状に折り曲げて形成するようにしても良い。
【００４１】
また、上記の扇形の光ダクトにあって、扇形のダクト基材に雄型ハゼ部を形成し、矩形板状のダクト基材に雌型ハゼ部を形成した構成とすることもできる。さらにまた、扇形の光ダクトにあって、その両端開口の仮想開口面のなす角度が９０度や鈍角をなすように設けることもできる。この場合には、円弧長が比較的長くなるため、リブを周設して剛性を向上することが好適である。
【００４２】
本考案は、上述した実施例に限定されるものではなく、本考案の要旨の範囲内で適宜用いることができる。
【図面の簡単な説明】
【００４３】
【図１】本考案にかかる真直状の光ダクト１の斜視図である。
【図２】（Ａ）ダクト基材１１，１１の接合前の状態と、（Ｂ）ダクト基材１１，１１を接合した状態とを示す横断面図である。
【図３】本考案にかかる扇形の光ダクト２１の斜視図である。
【図４】（Ａ）各ダクト基材３１，３２，３３，３３の接合前の状態と、（Ｂ）ダクト基材３１，３２，３３，３３を接合した状態とを示す横断面図である。
【図５】本考案にかかる光ダクト装置４１の設置した状態を示す説明図である。
【符号の説明】
【００４４】
１，２１  光ダクト
３  反射鏡面
５  フランジ部
５ａ  鍔部
５ｂ  折り返し部
８  コーナー金具
１１，３１，３２，３３  ダクト基材  
１２，３５  雄型ハゼ部
１３，３６  ボタンパンチ
１５，３７  雌型ハゼ部
１６，３８  嵌入溝
１７，３９  係止部
４１  光ダクト装置
４２  導光路
【図１】
0003140330.tif 000003
【図２】
0003140330.tif 000004
【図３】
0003140330.tif 000005
【図４】
0003140330.tif 000006
【図５】
0003140330.tif 000007